(57)【要約】【課題】  画像データに対して付与される識別番号を用いて画像データ間の関連性を容易に管理することができる画像処理装置を提供する。【解決手段】  記録媒体９に記録される各画像データに対して、任意に変更不可能で且つ任意に削除不可能である識別番号を自動的に付与する番号付与部３と、前記識別番号を用いて、前記記録媒体９に記録された後の所望の画像データに対して施された画像処理の内容に関する情報を管理する管理部３とを備え、前記管理部３は、前記所望の画像データに前記画像処理を施して作成された画像データである子画像データに付与された識別番号と、当該画像処理の内容に関する情報と、前記所望の画像データに付与された識別番号とを関連付けて管理する。【選択図】  図１
2010157891.tif 000002
【特許請求の範囲】
【請求項１】
記録媒体に記録される各画像データに対して、任意に変更不可能で且つ任意に削除不可能である識別番号を自動的に付与する番号付与部と、
前記識別番号を用いて、前記記録媒体に記録された後の所望の画像データに対して施された画像処理の内容に関する情報を管理する管理部と、を備え、
前記管理部は、前記所望の画像データに前記画像処理を施して作成された画像データである子画像データに付与された識別番号と、当該画像処理の内容に関する情報と、前記所望の画像データに付与された識別番号とを関連付けて管理することを特徴とする画像処理装置。
【請求項２】
前記番号付与部は、前記子画像データに付与する識別番号として、前記所望の画像データに付与された識別番号に対し関連性を持たせた識別番号を付与することを特徴とする請求項１記載の画像処理装置。
【請求項３】
前記識別番号を用いて、前記画像データ及び前記画像処理の内容に関する情報の少なくとも一方を検索する検索部を備えることを特徴とする請求項１または請求項２記載の画像処理装置。
【請求項４】
前記識別番号を用いて、前記所望の画像データ及び前記子画像データを含む画像データ間の関係図を作成する作成部と、
前記作成部により作成された前記関係図を、前記画像データに基づく縮小画像を用いて表示する表示部と、
を備えることを特徴とする請求項１〜請求項３の何れか一項に記載の画像処理装置。
【請求項５】
前記画像データを生成する生成部を備え、
前記番号付与部は、前記生成部により前記画像データが生成されたときに前記画像データに対して前記識別番号を付与することを特徴とする請求項１〜請求項４の何れか一項に記載の画像処理装置。
【請求項６】
前記画像データを入力する入力部を備え、
前記番号付与部は、前記入力部により前記画像データが入力されたときに前記画像データに対して前記識別番号を付与することを特徴とする請求項１〜請求項４の何れか一項に記載の画像処理装置。
【請求項７】
他装置に対して前記画像データを送信する送信部を備え、
前記番号付与部は、前記送信部により前記画像データが送信されるときに前記画像データに対して前記識別番号を付与することを特徴とする請求項１〜請求項４の何れか一項に記載の画像処理装置。
【請求項８】
１個の前記画像データに対して１個以上の前記識別番号が付与可能に構成されていることを特徴とする請求項１〜請求項７の何れか一項に記載の画像処理装置。
【請求項９】
前記画像処理の内容に関する情報は、前記識別番号と共に、前記画像データに付加されていることを特徴とする請求項１〜請求項８の何れか一項に記載の画像処理装置。
【請求項１０】
前記画像処理の内容に関する情報は、前記識別番号と共に、前記画像データが記録される画像データ記録部とは別体で構成される情報記録部に記録されることを特徴とする請求項１〜請求項８の何れか一項に記載の画像処理装置。
【請求項１１】
前記画像処理の内容に関する情報は、前記画像データが削除された場合においても削除されないことを特徴とする請求項１〜請求項１０の何れか一項に記載の画像処理装置。
【請求項１２】
記録媒体に記録される各画像データに対して識別番号を付与する番号付与部と、
前記識別番号を用いて、前記記録媒体に記録された後の所望の画像データに対して施された画像処理の内容に関する情報を管理する管理部と、を備えた画像処理装置に適用される画像処理プログラムであって、
前記各画像データに対して、任意に変更不可能で且つ任意に削除不可能である前記識別番号を自動的に付与せしめるように前記番号付与部を動作させるステップと、
前記所望の画像データに前記画像処理を施して作成された画像データである子画像データに付与された識別番号と、前記画像処理の内容に関する情報と、前記所望の画像データに付与された識別番号とを関連付けて管理せしめるように前記管理部を動作させるステップと、
を含むことを特徴とする画像処理プログラム。
【請求項１３】
前記識別番号を用いて、前記画像データ及び前記画像処理の内容に関する情報の少なくとも一方を検索するステップを含むことを特徴とする請求項１２記載の画像処理プログラム。
【請求項１４】
前記識別番号を用いて、前記所望の画像データ及び前記子画像データを含む画像データ間の関係図を作成するステップと、
前記関係図を前記画像データに基づく縮小画像を用いて表示するステップと、
を含むことを特徴とする請求項１２または請求項１３記載の画像処理プログラム。
【発明の詳細な説明】
【技術分野】
【０００１】
本発明は、画像処理装置及び画像処理プログラムに関するものである。
【背景技術】
【０００２】
加工した画像データを保存する際に、加工前の画像に関する情報、加工履歴（加工命令、加工パラメータ値等）、加工者名、及び加工日時等を付属情報として生成または修正し、画像データに付加することにより、加工前後に基づく画像データ間の参照関係及び各加工履歴を一元管理する画像管理方法が開示されている（例えば、特許文献１参照）。
【特許文献１】特開２００３−３１７０７８号公報
【発明の開示】
【発明が解決しようとする課題】
【０００３】
しかし、上述の画像管理方法では、画像データのファイル名を用いて加工前後の画像データ間の参照関係を一元管理しているため、所定の画像データのファイル名を変更した場合には、所定の画像データと参照関係にある加工前後の画像データ間の参照が困難になる場合があった。また、所定の画像データのファイル名が変更された後において、参照関係にある加工前後の画像データの加工履歴に含まれる所定の画像データのファイル名を変更前のものから変更後のものに書き換える必要があった。
【０００４】
本発明の目的は、画像データに対して付与される識別番号を用いて画像データ間の関連性を容易に管理することができる画像処理装置及び画像処理プログラムを提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の画像処理装置は、記録媒体（９）に記録される各画像データ（ＤＡ，ＤＡＡ）に対して、任意に変更不可能で且つ任意に削除不可能である識別番号（Ａ，Ａ−Ａ）を自動的に付与する番号付与部（３）と、前記識別番号（Ａ，Ａ−Ａ）を用いて、前記記録媒体（９）に記録された後の所望の画像データ（ＤＡ）に対して施された画像処理の内容に関する情報（ＰＡＡ）を管理する管理部（３）とを備え、前記管理部（３）は、前記所望の画像データ（ＤＡ）に前記画像処理を施して作成された画像データである子画像データ（ＤＡＡ）に付与された識別番号（Ａ−Ａ）と、当該画像処理の内容に関する情報（ＰＡＡ）と、前記所望の画像データ（ＤＡ）に付与された識別番号（Ａ）とを関連付けて管理することを特徴とする。
【０００７】
また、本発明の画像処理プログラムは、記録媒体（９）に記録される各画像データ（ＤＡ，ＤＡＡ）に対して識別番号（Ａ，Ａ−Ａ）を付与する番号付与部（３）と、前記識別番号（Ａ，Ａ−Ａ）を用いて、前記記録媒体（９）に記録された後の所望の画像データ（ＤＡ）に対して施された画像処理の内容に関する情報（ＰＡＡ）を管理する管理部（３）とを備えた画像処理装置（１）に適用される画像処理プログラムであって、前記各画像データ（ＤＡ，ＤＡＡ）に対して、任意に変更不可能で且つ任意に削除不可能である前記識別番号（Ａ，Ａ−Ａ）を自動的に付与せしめるように前記番号付与部（３）を動作させるステップと、前記所望の画像データ（ＤＡ）に前記画像処理を施して作成された画像データである子画像データ（ＤＡＡ）に付与された識別番号（Ａ，Ａ−Ａ）と、前記画像処理の内容に関する情報（ＰＡＡ）と、前記所望の画像データ（ＤＡ）に付与された識別番号（Ａ）とを関連付けて管理せしめるように前記管理部（３）を動作させるステップとを含むことを特徴とする。
【発明の効果】
【０００８】
本発明の画像処理装置及び画像処理プログラムによれば、画像データに対して付与される識別番号を用いて画像データ間の関連性を容易に管理することができる。
【発明を実施するための最良の形態】
【０００９】
以下、図面を参照して、本発明の実施の形態に係る画像処理装置について説明する。図１は、この実施の形態に係る画像処理装置１のシステム構成を示すブロック図である。画像処理装置とは、例えばデジタルカメラ等の撮像装置、パソコン（ＰＣ）、携帯電話等、記録媒体等に記録されている画像データに対して加工処理等を施す画像処理機能を有する装置のことである。なお、この実施の形態においては、画像処理装置１がカメラであるものとして説明を行う。図１に示すように、画像処理装置１は、制御部３、撮像素子５、画像処理部７、記録媒体９、表示部１３、操作部１５を備えて構成されている。
【００１０】
制御部３は、マイクロプロセッサ等により構成されており、図示しないメモリ等から画像処理プログラムを読み込んで実行し、画像処理装置１の各部を統括的に制御する。撮像素子５は、ＣＣＤまたはＣＭＯＳ等により構成され、図示しない撮影レンズを介した被写体光を撮像する。撮像素子５から出力される撮像信号は、図示しないＡ／Ｄ変換回路を介して、画像処理部７に入力され、画像処理部７は、撮像信号に基づく画像データを生成し、生成された画像データは、記録媒体９に記録される。また、画像処理部７は、所定の画像に画像処理を施した画像の画像データ（画像処理後の画像データ）を生成する。
【００１１】
画像処理部７により生成された画像データは、後述する識別番号、画像データに基づく縮小画像データ、画像データにおける撮影日時、露出等の撮影に関する情報（以下、撮影情報という）と共に、Ｅｘｉｆ（Ｅｘｃｈａｎｇａｂｌｅ  ｉｍａｇｅ  ｆｉｌｅ  ｆｏｒｍａｔ）等の所定の形式で、記録媒体９に記録される。記録媒体９は、画像処理装置１に設けられたカードスロット（図示せず）に着脱可能に装着される可搬性を有する記録媒体であり、例えば、ＣＦカード、ＳＤカード、スマートメディア等が用いられる。また、記録媒体９には、記録媒体９に記録されている所望の画像データに対してトリミング等の画像処理が施されることにより作成された画像データ、この画像データの識別番号、この画像データに基づく縮小画像データ、この画像データが作成された作成日時、作成される際に施された画像処理の内容等の画像処理に関する情報（以下、画像処理情報という）も記録されている。
【００１２】
表示部１３は、撮像素子８からのスルー画像、記録媒体９に記録された画像データに基づく画像、縮小画像データに基づく縮小画像、撮影情報や画像処理情報、またはメニュー（選択項目）等を表示する。操作部１５は、電源をオン／オフする電源スイッチ、撮影等を指示するためのレリーズボタン、画像処理に関する設定や画像表示に関する設定を行うためのボタンやセレクタ等を含んで構成されている。
【００１３】
この実施の形態においては、制御部３は、記録媒体９に記録される各画像データに対して識別番号（ＩＤ）を付与し、この識別番号を用いて画像処理情報を管理する。即ち、制御部３は、画像処理部７により画像データが生成されたときに、生成された画像データに対して、識別番号を自動的に付与する。この自動的に付与される識別番号は、画像データを識別するための固有の番号であり、任意に削除不可能且つ任意に変更不可能に構成されている。即ち、識別番号は、画像処理装置１のユーザーにより操作部１５を介して削除且つ変更することができないように構成されている。
【００１４】
また、制御部３は、生成された画像データ及び画像処理情報の管理を容易にする識別番号を付与する。例えば、図２に示すように、複数の画像データが記録媒体９に記録されているとする。ここで、撮像素子５により撮像され、画像処理部７により生成された画像データＤＡにおいては、記録媒体９に記録された後の画像データに画像処理を施して作成された画像データ等と区別することができる識別番号が付与される。図２においては、一桁の番号Ａを付与することにより、画像データＤＡが画像処理を施して作成された画像データでないことを示している。これに限らず、撮像素子５により撮像され、画像処理部７により生成された画像データであることを示す記号等を付加した識別番号を付与することもできる。
【００１５】
また、図２に示すように、連続撮影された一連の画像データＤＢ１〜ＤＢｎにおいては、その旨を示す識別番号Ｂ１〜Ｂｎ（ｎ：自然数）が付与される。識別番号Ｂ１を付与することにより、識別番号Ｂ１の画像データＤＢ１が連続撮影された一連の画像データの中の１フレーム目の画像データであることを示し、同様に、識別番号Ｂ２〜Ｂｎを付与することにより、識別番号Ｂ２〜Ｂｎの画像データＤＢ２〜ＤＢｎが連続撮影された一連の画像データの中の２〜ｎフレーム目の画像データであることを示している。これに限らず、連続撮影された一連の画像データの一部であることを示す記号等を付加した識別番号を付与することもできる。
【００１６】
また、図２に示すように、画像データＤＡに画像処理を施すことにより作成された画像データＤＡＡにおいては、画像データＤＡに付与された識別番号Ａに対し関連性を持たせた識別番号Ａ−Ａが付与される。即ち、画像データＤＡの識別番号Ａに、「−Ａ」を付加することにより、識別番号Ａ−Ａの画像データＤＡＡが識別番号Ａの画像データＤＡに画像処理を施すことにより作成されたものであることを示している。画像データＤＢ５Ａの識別番号Ｂ５−Ａも、画像データＤＡＡの識別番号Ａ−Ａと同様の意味を持ち、画像データＤＢ５Ａが５フレーム目の画像データＤＢ５に画像処理を施すことにより作成されたものであることを示している。
【００１７】
同様に、画像データＤＡＡに画像処理を施すことにより作成された画像データＤＡＡＡ，ＤＡＡＢにおいては、その旨を示す識別番号Ａ−Ａ−Ａ，Ａ−Ａ−Ｂが付与される。即ち、画像データＤＡＡの識別番号Ａ−Ａに、「−Ａ」，「−Ｂ」を付加することにより、識別番号Ａ−Ａ−Ａの画像データＤＡＡＡ及び識別番号Ａ−Ａ−Ｂの画像データＤＡＡＢが、識別番号Ａ−Ａの画像データＤＡＡに画像処理を施すことにより作成されたものであることを示している。また、識別番号Ａ−Ａ−Ａ，Ａ−Ａ−Ｂを参照することにより、画像データＤＡＡのみならず、「−」より前の文字から、画像データＤＡＡを作成する際に用いられた画像データＤＡの存在を見出すこともできる。このように、識別番号から、画像処理の内容に基づいて画像データを遡っていくことができる。
【００１８】
制御部３は、画像データに識別番号を付与した後、図３に示すように、識別番号「Ａ」，「Ａ−Ａ」，「Ａ−Ａ−Ａ」、撮影情報ＰＡまたは画像処理情報ＰＡＡ，ＰＡＡＡ、縮小画像データＴＡ，ＴＡＡ，ＴＡＡＡと共に、画像データＤＡ，ＤＡＡ，ＤＡＡＡを記録媒体９に記録する。他の画像データも同様に記録媒体９に記録する。そして、制御部３は、例えば、画像データＤＡに付与された識別番号Ａ、画像データＤＡに画像処理を施して作成された画像データＤＡＡに付与された識別番号Ａ−Ａ、画像処理情報ＰＡＡを関連付けて管理する。同様に、他の画像データも、画像処理情報と共に関連付けて管理される。
【００１９】
このように、画像データ、画像処理情報及び識別番号を関連付けて管理しているため、識別番号を用いて、関連する画像データ、画像処理情報を容易に検索することができる。例えば、識別番号Ａ−Ａが「Ａ」に「−Ａ」を付加したものであることから、識別番号Ａを検索することにより、画像処理前の画像データＤＡを容易に探し出すことができる。また、「Ａ−Ａ」に「−Ａ」を付加した識別番号Ａ−Ａ−Ａを検索することにより、画像処理後の画像データＤＡＡＡや画像処理情報ＰＡＡＡを容易に探し出すことができる。同様に、「Ａ−Ａ」に「−Ｂ」「−Ｃ」…を付加した識別番号Ａ−Ａ−Ｂ，Ａ−Ａ−Ｃ，…を検索し、存在した場合には、その存在する識別番号から画像データＤＡＡＡ以外の画像処理後の画像データを容易に検索することができる。
【００２０】
同様に、識別番号Ａ−Ａ−Ａから、画像データＤＡＡＡの画像処理前の一連の画像データを容易に検索することができる。即ち、識別番号Ａ−Ａ−Ａが「Ａ」に２つの「−Ａ」を付加したものであることから、識別番号Ａ−Ａの画像データＤＡＡが画像処理前の画像データであり、かつ識別番号Ａの画像データＤＡが画像データＤＡＡの画像処理前の画像データであることまで判別することができる。このように、画像データの画像処理前後の画像データに限らず、識別番号から画像処理に基づく一連の画像データを検索することができる。
【００２１】
また、任意に削除不可能且つ変更不可能である識別番号を用いて、画像データ及び画像処理情報を管理しているため、画像データのファイル名等の変更または画像データの削除が行われた場合においても、画像処理に基づく一連の画像データ間の関連性を維持することができる。例えば、画像データＤＡＡがユーザーにより削除された場合には、図４に示すように、画像データＤＡＡのみが削除され、削除不可能である識別番号Ａ−Ａ、縮小画像データＴＡＡ及び画像処理情報ＰＡＡは削除されない。したがって、画像データＤＡＡが削除されたとしても、画像データＤＡ，ＤＡＡ，ＤＡＡＡの画像処理に基づく関連性は喪失せず、画像データ及び画像処理情報を容易に検索することができる。なお、この場合には、画像処理情報ＰＡＡに、画像データＤＡＡが削除された旨の情報を付加する。
【００２２】
更に、識別番号を用いて、画像処理に基づく一連の画像データを検索することができることから、識別番号を用いて、画像データ間の画像処理に基づく関係図を作成することができる。そして、作成された関係図を、画像データと共に記録されている縮小画像データに基づく縮小画像を用いて表示部１３に表示させることができる。
【００２３】
例えば、図５に示すように、６個の画像データＤＡ〜ＤＡＡＢＡが識別番号Ａ〜Ａ−Ａ−Ｂ−Ａ、縮小画像データＴＡ〜ＴＡＡＢＡ及び画像処理情報（図示せず）と共に記録媒体９に記録されている場合において、６個の画像データＤＡ〜ＤＡＡＢＡに基づく画像の少なくとも１つが表示部１３に表示されており、ユーザーにより操作部１５を介して表示されている画像に関する画像データ間の関係図を作成する指示がなされたとする。制御部３は、関係図の作成の指示がなされると、６個の画像データＤＡ〜ＤＡＡＢＡの識別番号Ａ〜Ａ−Ａ−Ｂ−Ａを参照して、図６に示すような６個の画像データ間の加工に関する関係図を作成する。図６に示すように、識別番号Ａと線で繋がっている識別番号Ａ−Ａ及びＡ−Ｂの画像データＤＡＡ及びＤＡＢは、画像データＤＡを加工した画像データである。また、識別番号Ａ−Ａと線で繋がっている識別番号Ａ−Ａ−Ａ及びＡ−Ａ−Ｂの画像データＤＡＡＡ及びＤＡＡＢは、画像データＤＡＡを加工した画像データである。また、識別番号Ａ−Ａ−Ｂと線で繋がっている識別番号Ａ−Ａ−Ｂ−Ａの画像データＤＡＡＢＡは、画像データＤＡＡＢを加工した画像データである。
【００２４】
そして、制御部３は、ユーザーにより操作部１５を介して関係図を表示するよう指示がなされた場合には、図７に示すように、作成した関係図を、縮小画像データＴＡ〜ＴＡＡＢＡに基づく縮小画像ＴＡ´〜ＴＡＡＢＡ´を用いて、表示部１３に表示させる。なお、図７においては、縮小画像ＴＡ´〜ＴＡＡＢＡ´のみを表示しているが、縮小画像ＴＡ´〜ＴＡＡＢＡ´の近傍に、各縮小画像に対応する識別番号、ファイル名、撮影日時や作成日時等の撮影情報または画像処理情報等も表示することができる。また、縮小画像ＴＡ´〜ＴＡＡＢＡ´の何れか一枚を選択することにより、選択された縮小画像に対応する識別番号や画像処理情報等を表示部１３に表示させることもできる。また、縮小画像ＴＡ´〜ＴＡＡＢＡ´の何れか一枚を選択することにより、選択された縮小画像に基づく画像データに関する処理、例えばファイル名の変更や画像データの削除等を行うこともできる。また、縮小画像ＴＡ´〜ＴＡＡＢＡ´に対応する画像データの中で削除されている画像データが存在する場合には、削除されていることを示す表示を行うこともできる。例えば、削除された日時等と共に「削除」等の文字を表示、または削除されている画像データに対応する縮小画像を他の縮小画像より薄く表示する。
【００２５】
また、図２に示す画像データＤＢ５及びＤＢ５Ａの関係図を作成し、作成された関係図を表示部１３に表示させた場合には、画像データＤＢ５が連続撮影された一連の画像データの一部であることを示す表示を行うこともできる。例えば、撮影日時等と共に「連写」等の文字の表示、または、図８に示すように、重ねられた複数の縮小画像の上に画像データＤＢ５に基づく縮小画像ＴＢ５´が置かれているような表示を行う。なお、縮小画像ＴＢ５Ａ´は、画像データＤＢ５Ａに基づく縮小画像である。
【００２６】
この実施の形態に係る画像処理装置１によれば、各画像データに任意の削除不可能及び変更不可能な識別番号が付与されているため、所望の画像データに画像処理を施して作成された画像データの識別番号、所望の画像データの識別番号、及び画像処理情報を容易に関連付けることができ、これらを容易に管理することができる。例えば、所定の画像データのファイル名が変更された場合においても、所定の画像データの識別番号は変更されないため、画像処理に基づく画像データ間の関係を容易に把握することができる。また、所定の画像データが削除された場合においても、削除された画像データの識別番号及び画像処理情報は削除されないため、識別番号を用いて、削除された画像データと画像処理に基づく画像データ間の関係を容易に把握することができる。また、識別番号を用いて、画像データや画像処理情報を容易に検索することができる。更に、所定の画像データの識別番号を用いて、所定の画像データと画像処理に基づく関係にある一連の画像データを容易に検索することができる。このように、画像処理に基づく関係にある一連の画像データを容易に検索できることから、これら画像データ間の画像処理に基づく関係図を容易に作成することができ、作成された関係図を表示部に表示させることにより、ユーザーに対して画像データ間の画像処理に基づく関係を容易に把握させることができる。
【００２７】
なお、上述の実施の形態においては、記録媒体９に画像データ、識別番号、縮小画像データ及び画像処理情報が記録されているが、これらを同一の場所に記録させる必要はない。例えば、画像データ及び縮小画像データを内部記録装置に、画像処理情報を外部記録装置に記録させておくこともできる。この場合には、識別番号は、画像データ及び画像処理情報の両方に付加し、記録させる。そして、識別番号を用いて、画像データと画像処理情報とを関連付けて管理する。画像データを削除する場合には、画像データのみを削除し、内部記録装置内の識別番号及び縮小画像データ、外部記録装置内の識別番号及び画像処理情報を削除しない。したがって、画像データが削除された場合においても、識別番号を用いて、画像処理情報を容易に検索することができ、かつ画像データ間の関連性を維持させることができる。また、画像処理に基づく関係がある各画像データ（例えば、図２に示すＤＡ，ＤＡＡ，ＤＡＡＡ，ＤＡＡＢ）を同一の場所に記録させる必要もない。これらが異なる場所に記録されている場合においても、識別番号を用いて、画像データを容易に管理することができる。
【００２８】
また、画像処理装置として例えばパソコンを用いた場合には、メモリカード、ＵＳＢカード、またはＷｅｂサーバ等に記録されている画像データをパソコン内の内部メモリ等に入力したときに、入力された画像データに対して適切な識別番号を付与する。そして、入力された画像データにトリミング等の画像処理を施し作成された画像データについては、作成されたときに適切な識別番号を付与する。
【００２９】
また、他の画像処理装置に対して画像データを送信する送信部を備えた画像処理装置を用いた場合には、他の画像処理装置に対して画像データを送信するときに、送信される画像データに対して適切な識別番号を付与し、付与された識別番号と共に画像データを送信することもできる。この場合には、各画像処理装置に対応するフォーマット等を考慮し、他の画像処理装置において用いる識別番号を、送信側の画像処理装置において用いた識別番号と同一にすることもでき、異にすることもできる。また、画像処理装置毎に異なる識別番号を付与する場合等、１個の画像データが２個以上の識別番号を持つこともできる。更に、送信側の画像処理装置の情報（機種名等）を識別可能な識別番号を付与し、他の画像処理装置に送信することもできる。上述のように、入力された画像データや送信された画像データに対して適切な識別番号を付与する際には、画像データ及び画像処理情報も適切なフォーマットに変換して入力または送信する。
【００３０】
また、２個以上の画像データに基づく合成画像についても本発明を適用することができる。例えば、図９に示すように、画像データＤＣ及びＤＤを合成加工することにより作成された合成画像データＤＣＤにおいては、画像データＤＣの識別番号がＣ、画像データＤＤの識別番号がＤの場合には合成画像データＤＣＤに識別番号ＣＤ−Ａを付与する等、合成加工前の画像データＤＣ及びＤＤの識別番号Ｃ及びＤに対し関連性を持たせた識別番号を付与する。
【００３１】
また、上述の実施の形態においては、制御部３が図示しないメモリ等から画像処理装置１に画像処理を実施させる画像処理プログラムを読み込んで実行している。即ち、上述の実施の形態で用いられている画像処理プログラムは、画像処理装置１に、各画像データに対して、任意に変更不可能で且つ任意に削除不可能である識別番号を自動的に付与せしめるように制御部３を動作させるステップと、記録された後の所望の画像データに画像処理を施して作成された画像データに付与された識別番号と、画像処理の内容に関する情報と、所望の画像データに付与された識別番号とを関連付けて管理せしめるように制御部３を動作させるステップとを実行せしめている。したがって、上述の実施の形態に係る画像処理プログラムによれば、画像データに対して付与される識別番号を用いて画像データ間の関係を容易に管理することができる。
【図面の簡単な説明】
【００３２】
【図１】実施の形態に係る画像処理装置のシステム構成を示すブロック図である。
【図２】実施の形態に係る記録媒体に記録されている画像データを示す図である。
【図３】実施の形態に係る記録媒体に記録される画像データ等の形式及び内容を説明するための図である。
【図４】実施の形態に係る記録媒体に記録される画像データ等の形式及び内容を説明するための図である。
【図５】実施の形態に係る記録媒体に記録される画像データ等の形式及び内容を説明するための図である。
【図６】画像データ間の画像処理に基づく関係を示す図である。
【図７】実施の形態に係る表示部の画面の状態を示す図である。
【図８】実施の形態に係る表示部の画面の状態を示す図である。
【図９】画像データ間の合成加工処理に基づく関係を示す図である。
【符号の説明】
【００３３】
１…画像処理装置、３…制御部、５…撮像素子、７…画像処理部、９…記録媒体、１３…表示部、１５…操作部。
【図１】
2010157891.tif 000003
【図２】
2010157891.tif 000004
【図３】
2010157891.tif 000005
【図４】
2010157891.tif 000006
【図５】
2010157891.tif 000007
【図６】
2010157891.tif 000008
【図７】
2010157891.tif 000009
【図８】
2010157891.tif 000010
【図９】
2010157891.tif 000011